(57)【要約】      （修正有）【課題】複数の独立したランプカップを備え、単独で取り外し交換可能な最新の照明具構造である分解交換可能式ＬＥＤ照明具を提供する。【解決手段】分解交換可能式ＬＥＤ照明具は、照明具のベース２上に、数個のランプカップ３を設置し、ランプカップ３内にはＬＥＤ発光パーツを主要光源として設置し、各ランプカップ３はみな独立しており、取り外して交換できるため、メンテナンスコストを節減でき、散熱機能を強化し、施工時間を短縮できる等の効果を備える。【選択図】図１
0003166435.tif 000002
【実用新案登録請求の範囲】
【請求項１】
分解交換可能式LED照明具は、ベース、一個或いは一個以上のランプカップを備え、
前記ベース上には、一個或いは一個以上の固定孔を設置し、
前記ランプカップ内部には、発光パーツを備え、前記ランプカップ一端は、ランプヘッドで、前記ランプヘッドは、前記ベースの固定孔中に螺合して設置されることを特徴とする分解交換可能式LED照明具。
【請求項２】
前記ベースは、前記ランプカップを結合後、前記ランプカップ外縁に、内蓋を設置することを特徴とする請求項１に記載の分解交換可能式LED照明具。
【請求項３】
前記内蓋は、貫通孔を備えるハウジングで、前記貫通孔と前記ランプカップの位置は対応することを特徴とする請求項２に記載の分解交換可能式LED照明具。
【請求項４】
前記ベース外縁には、外蓋を設置し、しかも前記内蓋外縁には、ランプシェードを設置することを特徴とする請求項３に記載の分解交換可能式LED照明具。
【請求項５】
前記ランプカップの前記ランプヘッドに相対するもう一端は、お椀型を呈し、内側の窪んだ面は光線を反射でき、発光パーツを設置し、開口部は、光透過板により蓋をすることを特徴とする請求項１に記載の分解交換可能式LED照明具。
【請求項６】
前記発光パーツは、LEDチップであることを特徴とする請求項１に記載の分解交換可能式LED照明具。
【請求項７】
前記ランプシェードは、光透過材質により製造するハウジングで、前記外蓋と組み合わせ、前記ベース、前記ランプカップ、前記内蓋を包んで内部に設置し、
しかも、前記ランプカップが発する光線は、透過して投射されることを特徴とする請求項４に記載の分解交換可能式LED照明具。
【考案の詳細な説明】
【技術分野】
【０００１】
本考案は分解交換可能式LED照明具に関し、特に複数の独立したランプカップを備え、単独で取り外し交換可能な最新の照明具構造である分解交換可能式LED照明具に関する。
【背景技術】
【０００２】
LEDはエネルギー転換効率が高い（電気エネルギーを光エネルギーに転換する）ため節電が可能で、さらに反応が速く、体積が小さく、衝撃に強く、寿命が長い等の長所を備え、最高の次世代照明光源とさえ呼ばれている。
【０００３】
従来の大型LED照明具の構造は、数個のLEDランプを、基板上に溶接して固定する。
この構造の最大の欠点は、メンテナンスが不便で時間がかかるという点である。
すべてのLEDランプが同一の基板上にあるため、戸外の現場で行うには、取り外して、もう一度溶接するという作業は非常に不便である。
そのため、１個や２個のLEDランプが故障したとしても、基板全体を取り外し、メンテナンスセンターなどに修理に送らなければならず、労力と時間の無駄である。
本考案は、従来のLED照明具の上記した欠点に鑑みてなされたものである。
【考案の概要】
【考案が解決しようとする課題】
【０００４】
本考案が解決しようとする課題は、LEDランプを簡単に交換可能な照明具構造である分解交換可能式LED照明具を提供することである。
【課題を解決するための手段】
【０００５】
上記課題を解決するため、本考案は下記の分解交換可能式LED照明具を提供する。
分解交換可能式LED照明具は、照明具内に、少なくともベースと一個或いは一個以上のランプカップを備え、
該ベース上には、一個或いは一個以上の固定孔を備え、しかも該各固定孔には、該ランプカップが対応して結合し、
該ランプカップ内には、発光パーツを備え、
該発光パーツはさらに、数個のLED発光チップを備える。
【考案の効果】
【０００６】
本考案の分解交換可能式LED照明具は、ある発光チップが故障、損壊した時にも、その発光チップが属するランプヘッドを単独で取り外し、新しいものと交換するだけで修理が完了するため、施工が便利で、迅速である。さらに、ベースは設計時に、表面が隆起して弧状を呈するため、各ランプカップの光線の照射角度を変えられ、これにより照明具の照明効果はより集中し、或いは発散し、こうして各種のニーズに応えることができる。
【図面の簡単な説明】
【０００７】
【図１】本考案の分解立体外観図である。
【図２】本考案のランプカップ分解立体外観図である。
【図３】本考案の照明実施の模式図である。
【考案を実施するための形態】
【０００８】
分解交換可能式LED照明具の構造組成、及びそれが生じる効果について、以下に図面を参照しながら本考案を実施するための最良の形態について詳細に説明する。
【実施例】
【０００９】
図１、２に示すように、本考案分解交換可能式LED照明具は、外蓋1、ベース2、一個或いは一個以上のランプカップ3、内蓋4、ランプシェード5を備える。
【００１０】
外蓋1は、照明具ハウジングで、内部が窪んだ形態で、他の構成部材を収容設置することができる。
ベース2は、外蓋1内側に設置する板体で、該板体は外向きの面に、一個或いは一個以上の固定孔21を開設する。
固定孔21内壁には、ネジヤマを形成する。
【００１１】
一個或いは一個以上のランプカップ3は、電気エネルギーを通すと発光するユニットで、その一端には、ランプヘッド31を備え、固定孔21に組み合わせる。
ランプカップ3のもう一端は、お椀型を呈し、内側の窪んだ面は、光線を反射でき、発光パーツ32を設置し、開口部は、光透過板33により蓋をする(図２参照)。
発光パーツ32は、LEDチップ或いはLEDランプである。
【００１２】
内蓋4は、若干の貫通孔41を備えたハウジングで、外蓋1と組み合わせ、ベース2とランプカップ3を包んで内部に設置する。
貫通孔41の位置は、ランプカップ3と対応し、それが発する光線は、貫通孔41を通して投射される。
ランプシェード5は、光透過材質により製造するハウジングで、外蓋1と組み合わせ、ベース2、ランプカップ3、内蓋4を包んで内部に設置する。
しかも、ランプカップ3が発する光線は、透過して投射される。
【００１３】
図３に合わせて示すように、本考案は、街路灯を実施例とする。
適当な電力を供給後、ランプカップ3は光線を発し、貫通孔41とランプシェード5を透過した後、均一に発散され、しかも明るい照明光線となる。
【００１４】
発光パーツ32は、LEDチップ或いはLEDランプにより構成されるため、顕著な節電効果を備える。
あるランプカップ3内の発光パーツ32に、故障或いは損壊が発生したなら、ランプシェード5と内蓋4を開け、ランプカップ3を回して取り出し、新しいものと交換し、交換後は、内蓋4とランプシェード5をもと通りに設置するだけで良い。
こうして、簡単で、しかも迅速に、メンテナンス作業を完了させることができる。
ランプヘッド31、固定孔21はともに、ネジヤマ構造である。
【００１５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１７】
1  外蓋
2  ベース
21  固定孔
3  ランプカップ
31  ランプヘッド
32  発光パーツ
33  光透過板
4  内蓋
41  貫通孔
5  ランプシェード
【図１】
0003166435.tif 000003
【図２】
0003166435.tif 000004
【図３】
0003166435.tif 000005